(57)【要約】【課題】複数の照明器具で一つのグループを形成した照明器具群の境界での明暗を抑制できる照明制御システムを提供することである。【解決手段】隣り合うグループ照明器具群１３ａ、１３ｂのいずれか一方の隣り合う側の照明器具１２ａ４〜１２ａ６に受光素子１７ａ１〜１７ａ３を設け、その受光素子により可視光通信された調光度及びグループ照明器具群の識別信号を検出する。グループ照明器具群にそれぞれ設けられた調光制御端末器１４ａ、１４ｂは、同じグループ内の各々の照明器具に同じ調光度制御信号を出力するとともに、受光素子で検出された隣のグループ照明器具群の調光度が自己の調光度より所定値以上の差があるときは、隣のグループ照明器具群の調光度に合わせて隣り合う側の照明器具の調光度を変化させる調光度制御信号を出力する。【選択図】図１
2010073632.tif 000002
【特許請求の範囲】
【請求項１】
複数の照明器具で一つのグループを形成した複数のグループ照明器具群と；
隣り合うグループ照明器具群のいずれか一方の隣り合う側の照明器具に設けられ、照明光に重畳され可視光通信された調光度及び前記グループ照明器具群の識別信号を検出する受光素子と；
前記グループ照明器具群にそれぞれ設けられ、同じグループ内の各々の照明器具に同じ調光度制御信号を出力するとともに、前記受光素子で検出された隣のグループ照明器具群の調光度が自己の調光度より所定値以上の差があるときは隣のグループ照明器具群の調光度に合わせて隣り合う側の照明器具の調光度を変化させる調光度制御信号を出力する調光制御端末器と；
前記照明器具に設けられ、前記調光制御端末器からの調光度制御信号に基づいて前記照明器具の光源の調光制御を行うとともに、前記受光素子からの調光度及び前記グループ照明器具群の識別信号を前記調光制御端末器に送信する制御装置と；
を備えたことを特徴とする照明制御システム。
【請求項２】
複数の照明器具で一つのグループを形成した複数のグループ照明器具群と；
隣り合うグループ照明器具群のいずれか一方の隣り合う側の照明器具に設けられ、照明光に重畳された調光度及び前記グループ照明器具群の識別信号を検出する受光素子と；
前記グループ照明器具群にそれぞれ設けられ、同じグループ内の各々の照明器具に同じ調光度制御信号を出力する調光制御端末器と；
前記照明器具に設けられ、前記調光制御端末器からの調光度制御信号に基づいて前記照明器具の光源の調光制御を行うとともに、前記受光素子で検出された隣のグループ照明器具群の調光度が自己の照明器具の調光度より所定値以上の差があるときは隣のグループ照明器具群の調光度に合わせて自己の照明器具の調光度を変化させる調光制御を行う制御装置と；
を備えたことを特徴とする照明制御システム。
【発明の詳細な説明】
【技術分野】
【０００１】
本発明は、複数の照明器具で一つのグループを形成した照明器具群の照明器具を調光制御する照明制御システムに関する。
【背景技術】
【０００２】
例えば、建家の室内の照明においては天井面に複数の照明器具を配置し、所定の箇所に照度センサを設けて、照度センサの検出信号による調光制御信号を伝送線を介して照明器具に送信し、照明器具の明るさを一定制御するようにしている。その場合、複数の照明器具で一つのグループを形成し、そのグループを形成した照明器具群毎に照度センサ及び調光制御端末器を設けて、調光制御端末器により照明器具群毎に同一の調光度で調光制御している。これにより、一つのグループの照明器具群に対応した一つのエリアは同一の調光度で調光制御されることになる。
【０００３】
照明制御システムの調光制御において、照明対象部分の正確な照度を取得して、照明対象部分を所定の照度とする調光制御を的確に行うことができるようにした照明制御システムがある（例えば、特許文献１参照）。
【特許文献１】特開２００８−２０４８９７号公報
【発明の開示】
【発明が解決しようとする課題】
【０００４】
しかし、特許文献１のものでは、照度センサの照度検出値により、グループ照明器具群の各々の照明器具を同一の調光度で制御するので、エリア毎の調光度が異なることになり、エリア毎の調光度の差が大きくなると、隣り合う照明器具群の境界に明暗が生じる。これにより、使用者に不快感を与えることになる。 
本発明の目的は、複数の照明器具で一つのグループを形成した照明器具群の境界での明暗を抑制できる照明制御システムを提供することである。
【課題を解決するための手段】
【０００５】
請求項１の発明に係わる照明制御システムは、複数の照明器具で一つのグループを形成した複数のグループ照明器具群と；隣り合うグループ照明器具群のいずれか一方の隣り合う側の照明器具に設けられ、照明光に重畳され可視光通信された調光度及び前記グループ照明器具群の識別信号を検出する受光素子と；前記グループ照明器具群にそれぞれ設けられ、同じグループ内の各々の照明器具に同じ調光度制御信号を出力するとともに、前記受光素子で検出された隣のグループ照明器具群の調光度が自己の調光度より所定値以上の差があるときは隣のグループ照明器具群の調光度に合わせて隣り合う側の照明器具の調光度を変化させる調光度制御信号を出力する調光制御端末器と；前記照明器具に設けられ、前記調光制御端末器からの調光度制御信号に基づいて前記照明器具の光源の調光制御を行うとともに、前記受光素子からの調光度及び前記グループ照明器具群の識別信号を前記調光制御端末器に送信する制御装置と；を備えたことを特徴とする。
【０００６】
本発明及び以下の発明において用語の定義及び技術的意味は以下による。グループ照明器具群とは、複数の照明器具を有し、１台の調光制御端末器で同じ各々の照明器具を調光度制御信号で調光制御するように一つのグループを形成した照明器具群をいう。可視光通信とは、人の目に見える照明光に変調した光信号をデータとして重畳させて通信することをいう。受光素子は、例えば、光信号を電気信号に変換する素子であり、照明光に重畳された調光度及びグループ照明器具群の識別信号を受信する。
【０００７】
「隣り合うグループ照明器具群のいずれか一方の隣り合う側の照明器具」とは、例えば、２つのグループ照明器具群が隣り合う場合、一方のグループ照明器具群の複数の照明器具のうち他方のグループ照明器具群と隣り合う側に位置する照明器具をいう。「隣のグループ照明器具群の調光度が自己の調光度より所定値以上の差があるとき」とは、隣のグループ照明器具群との境界で明暗が生じる程度の調光度の差である。
【０００８】
請求項２の発明に係わる照明制御システムは、複数の照明器具で一つのグループを形成した複数のグループ照明器具群と；隣り合うグループ照明器具群のいずれか一方の隣り合う側の照明器具に設けられ、照明光に重畳された調光度及び前記グループ照明器具群の識別信号を検出する受光素子と；前記グループ照明器具群にそれぞれ設けられ、同じグループ内の各々の照明器具に同じ調光度制御信号を出力する調光制御端末器と；前記照明器具に設けられ、前記調光制御端末器からの調光度制御信号に基づいて前記照明器具の光源の調光制御を行うとともに、前記受光素子で検出された隣のグループ照明器具群の調光度が自己の照明器具の調光度より所定値以上の差があるときは隣のグループ照明器具群の調光度に合わせて自己の照明器具の調光度を変化させる調光制御を行う制御装置と；を備えたことを特徴とする。
【０００９】
本発明は、請求項１の発明に対し、調光制御端末器に代えて、各々の照明器具の制御装置で、隣のグループ照明器具群の調光度が自己の照明器具の調光度より所定値以上の差があるときは、隣のグループ照明器具群の調光度に合わせて自己の照明器具の調光度を変化させる調光制御を行うようにしたものである。
【発明の効果】
【００１０】
請求項１の発明によれば、可視光通信により調光度及びグループ照明器具群の識別信号を通信するので、伝送線の敷設なしで隣り合うグループ照明器具群の識別信号及び調光度を受信できる。また、隣のグループ照明器具群の調光度が自己の調光度より所定値以上の差があるときは、隣のグループ照明器具群の調光度に合わせて隣り合う側の照明器具の調光度を変化させるので、グループ照明器具群の境界で明暗が生じるのを抑制できる。
【００１１】
請求項２の発明によれば、調光制御端末器に代えて、各々の照明器具の制御装置で、隣のグループ照明器具群の調光度に合わせて隣り合う側の照明器具の調光度を変化させるので、各々の照明器具ごとに調光制御でき、きめ細かい調光制御が可能となる。
【発明を実施するための最良の形態】
【００１２】
図１は本発明の実施の形態に係わる照明制御システムの一例の構成図である。図１に示すように、建家の窓１１側から建家の奥方向（窓側反対側方向）に向けて建家の天井面には複数の照明器具１２が配置されている。
【００１３】
複数の照明器具１２は照明エリア毎にグループが形成され、図１では２つのエリ１、２に対して２つのグループ照明器具群１３ａ、１３ｂを形成した場合を示している。例えば、エリア１のグループ照明器具群１３ａは、６個の照明器具１２ａ１〜１２ａ６と１個の調光制御端末器１４ａとからなり、調光制御端末器１４ａは照度センサ１５ａを有する。調光制御端末器１４ａは、照度センサ１５ａで検出した照度に基づき、グループ照明器具群１３ａ内の各々の照明器具１２ａ１〜１２ａ６に対し、同じ調光度ｄａの調光度制御信号を出力する。これにより、各々の照明器具１２ａ１〜１２ａ６の制御装置１６ａ１〜１６ａ６は、各々の照明器具１２ａ１〜１２ａ６の光源を同じ調光度ｄａで調光制御する。図１では、エリア１のグループ照明器具群１３ａ内の各々の照明器具１２ａ１〜１２ａ６は、調光度ｄａが３０％で調光制御されている場合を示している。
【００１４】
同様に、エリア２のグループ照明器具群１３ｂは、６個の照明器具１２ｂ１〜１２ｂ６と１個の調光制御端末器１４ｂとからなり、調光制御端末器１４ｂは照度センサ１５ｂを有する。調光制御端末器１４ｂは、照度センサ１５ｂで検出した照度に基づき、グループ照明器具群１３ｂ内の各々の照明器具１２ｂ１〜１２ｂ６に対し、同じ調光度ｄｂの調光度制御信号を出力する。これにより、各々の照明器具１２ｂ１〜１２ｂ６の制御装置１６ｂ１〜１６ｂ６は、各々の照明器具１２ｂ１〜１２ｂ６の光源を同じ調光度ｄｂで調光制御する。図１では、エリア２のグループ照明器具群１３ｂ内の各々の照明器具１２ｂ１〜１２ｂ６は、調光度ｄｂが７０％で調光制御されている場合を示している。
【００１５】
グループ照明器具群１３ａよりグループ照明器具群１３ｂの方が調光度ｄｂが大きいのは、グループ照明器具群１３ｂはグループ照明器具群１３ａより窓１１から遠い位置にあり、グループ照明器具群１３ｂは外光の影響が少ないからである。
【００１６】
次に、隣り合うグループ照明器具群１３ａ、１３ｂのいずれか一方の隣り合う側の照明器具には受光素子が設けられる。グループ照明器具群１３ａの照明器具１２ａ４〜１２ａ６及びグループ照明器具群１３ｂの照明器具１２ｂ１〜１２ｂ３が隣り合うグループ照明器具群１３ａ、１３ｂの隣り合う側の照明器具であるので、グループ照明器具群１３ａの照明器具１２ａ４〜１２ａ６、あるいはグループ照明器具群１３ｂの照明器具１２ｂ１〜１２ｂ３のうちのいずれか一方に受光素子を設けることになる。図１では、グループ照明器具群１３ａの照明器具１２ａ４〜１２ａ６に受光素子１７ａ１〜１７ａ３を設けた場合を示している。
【００１７】
照明器具１２ａ４〜１２ａ６の受光素子１７ａ１〜１７ａ３は、照明光に重畳された可視光通信信号を受光するものである。すなわち、図１の場合には、隣り合うグループ照明器具群１３ｂの照明器具１２ｂ１〜１２ｂ３の照明光Ｌｂ１〜ＬＢ３に重畳された可視光通信信号を受信する。照明光Ｌｂ１〜ＬＢ３に重畳された可視光通信信号は、照明器具１２ｂ１〜１２ｂ３の制御装置１６ｂ１〜１６ｂ３により照明光Ｌｂ１〜Ｌｂ３に重畳させられる。また、可視光通信信号の内容は、照明器具１２ｂ１〜１２ｂ３の調光度ｄｂ及びグループ照明器具群１３ｂの識別信号である。グループ照明器具群１３ｂの識別信号はグループ照明器具群１３ｂのグループアドレスでもよいし、照明器具１２ｂ１〜１２ｂ３の個別アドレスでもよい。
【００１８】
照明器具１２ａ４〜１２ａ６の受光素子１７ａ１〜１７ａ３で受信された照明器具１２ｂ１〜１２ｂ３の調光度ｄｂ及びグループ照明器具群１３ｂの識別信号は、照明器具１２ａ４〜１２ａ６の制御装置１６ａ４〜１６ａ６により、調光制御端末器１４ａに送信される。
【００１９】
調光制御端末器１４ａは、照明器具１２ａ４〜１２ａ６の受光素子１７ａ１〜１７ａ３で検出された隣のグループ照明器具群１３ｂの調光度ｄｂ（７０％）が自己の調光度ｄａ（３０％）より所定値以上の差があるかどうかを判定し、所定値以上の差があるときは、隣のグループ照明器具群１３ｂの調光度ｄｂ（７０％）に合わせて隣り合う側の照明器具１２ａ４〜１２ａ６の調光度ｄａを変化させる調光度制御信号を出力する。
【００２０】
例えば、所定値として３０％が設定されている場合には、隣のグループ照明器具群１３ｂの調光度ｄｂ（７０％）と自己の調光度ｄａ（３０％）との差（４０％）は所定値（３０％）以上である。そこで、調光制御端末器１４ａは隣り合う側の照明器具１２ａ４〜１２ａ６の調光度ｄａを変化させる。図１では、照明器具１２ａ４〜１２ａ６の調光度ｄａを２０％とした場合を示している。
【００２１】
照明器具１２ａ４〜１２ａ６の調光度ｄａを３０％から２０％と減方向に変化させるのは、隣のグループ照明器具群１３ｂの調光度ｄｂ（７０％）の照明光Ｌｂ１〜Ｌｂ３が照明器具１２ａ４〜１２ａ６の照明光に入り込んで、照明器具１２ａ４〜１２ａ６の照明光を見かけ上明るくするからである。また、このように制御することよって、被照射面の照度を確保するとともに消費電力を削減することができる。
【００２２】
図２は、本発明の実施の形態における照明器具１２及び調光制御端末器１４の実施例１の構成図である。図２の実施例１では受光素子１７を有した照明器具１２を示している。
【００２３】
照明器具１２の制御装置１６には、調光制御端末器１４から調光度制御信号が入力される。調光制御端末器１４は照度センサ１５で検出された照度に基づいて、自己のグループ照明器具群１３内の各々の照明器具１２に対し、同じ調光度の調光度制御信号を出力する。また、調光制御端末器１４は同じ調光度の調光度制御信号を補正する調光度補正部２０を有する。調光度補正部２０は、受光素子１７で検出された隣のグループ照明器具群の調光度が自己の調光度より所定値以上の差があるときに、隣のグループ照明器具群に隣接した自己の照明器具に対し、同じ調光度の調光度制御信号を補正し、その補正した調光度制御信号を出力するものである。
【００２４】
照明器具１２の制御装置１６は調光制御端末器１４からの調光度制御信号に基づいて、点灯回路１８を介して光源１９を調光制御する。調光度補正部２０による補正した調光度制御信号が出力されていないときは、同じグループ照明器具群１３の照明器具１２は同じ調光度で調光制御される。
【００２５】
照明器具１２の制御装置１６には、調光制御端末器１４からの調光度制御信号だけでなく、受光素子１７で検出された隣のグループ照明器具群の調光度及びそのグループ照明器具群１３の識別信号も入力される。照明器具１２の制御装置１６は、受光素子１７で検出された隣のグループ照明器具群の調光度及びグループ照明器具群１３の識別信号を自己のグループ照明器具群の調光制御端末器１４に送信する。
【００２６】
調光制御端末器１４は、照明器具１２の制御部１６から隣のグループ照明器具群１３の調光度を受信したときは、調光度補正部２０にて、自己の調光度が隣のグループ照明器具群１３の調光度より所定値以上の差があるかどうかを判定し、所定値以上の差があるときは、隣のグループ照明器具群に隣り合う側の自己の照明器具に対し、調光度を変化させた補正した調光度制御信号を出力する。調光度補正部２０で補正された調光度制御信号を受信した照明器具１２の制御装置１６は、調光度補正部２０で補正された調光度制御信号に基づいて光源部１９を調光制御する。
【００２７】
これにより、隣のグループ照明器具群に隣り合う側の自己の照明器具の調光度が補正されるので、隣のグループ照明器具群の照明光が自己の照明器具の照明光に入り込んで、自己の照明器具の照明光を見かけ上明るくするのを抑制できる。従って、グループ照明器具群の境界で発生する明暗を抑制できる。
【００２８】
図３は、本発明の実施の形態における照明器具１２及び調光制御端末器１４の実施例２の構成図である。図３に示す実施例２は、図２に示した実施例１に対し、調光制御端末器１４に代えて、照明器具１２の制御装置１６に調光度補正部２０を設けたものである。図２と同一要素には、同一符号を付し重複する説明は省略する。
【００２９】
照明器具１２の制御装置１６には、調光制御端末器１４から調光度制御信号が入力されるとともに、受光素子１７で検出された隣のグループ照明器具群の調光度及びそのグループ照明器具群１３の識別信号も入力される。
【００３０】
調光制御端末器１４は照度センサ１５で検出された照度に基づいて、自己のグループ照明器具群１３内の各々の照明器具１２に対し、同じ調光度の調光度制御信号を出力する。従って、照明器具１２の制御装置１６は、調光度補正部２０による補正した調光度制御信号が出力されていないときは、調光制御端末器１４からの調光度制御信号に基づいて、点灯回路１８を介して光源１９を調光制御するので、同じグループ照明器具群１３の照明器具１２は同じ調光度で調光制御される。
【００３１】
一方、制御装置１６の調光度補正手段２０は、受光素子１７で検出された隣のグループ照明器具群の調光度が自己の調光度より所定値以上の差があるかどうかを判定し、所定値以上の差があるときは、調光制御端末器１４から調光度制御信号に代えて、調光度補正手段２０で補正した調光度制御信号を点灯回路１８に出力し、光源部１９を調光制御する。
【００３２】
これにより、隣のグループ照明器具群に隣り合う側の自己の照明器具の調光度が照明器具単位で補正されるので、隣のグループ照明器具群の照明光が自己の照明器具の照明光に入り込んで、自己の照明器具の照明光を見かけ上明るくするのをきめ細かく抑制できる。従って、グループ照明器具群の境界で発生する明暗を抑制できる。
【００３３】
以上の説明では、隣のグループ照明器具群の照明光が自己の照明器具の照明光に入り込んで、自己の照明器具の照明光を見かけ上明るくする場合に、図１に示すように、隣のグループ照明器具群１３ｂに隣り合う自己の照明器具１２ａ４〜１２ａ６の調光度ｄａを３０％から２０％に下げるようにしたが、図４に示すように、隣のグループ照明器具群１３ｂに隣り合う自己の照明器具１２ａ４〜１２ａ６の調光度ｄａを３０％から５０％に上げるように、つまり、隣り合う側の照明器具の調光度が近づくようにしてもよい。これによって、グループ照明器具群１３ａ、１３ｂの境界で発生する明暗を抑制できる。
【００３４】
また、以上の説明では、隣り合うグループ照明器具群１３ａ、１３ｂのうち、グループ照明器具群１３ａの照明器具１２ａ４〜１２ａ６に受光素子１７ａ１〜１７ａ３を設けたが、図５に示すように、グループ照明器具群１３ｂの照明器具１２ｂ１〜１２ｂ３に受光素子１７ａ１〜１７ａ３を設け、隣のグループ照明器具群１３ａに自己の照明器具１２ｂ１〜１２ｂ３の調光度ｄｂを変化させるようにしてもよい。図５では、自己の照明器具１２ｂ１〜１２ｂ３の調光度を７０％から５０％に下げるようにした場合を示している。
【００３５】
このように、近接する照明器具１２から可視光通信信号を受け取った照明器具は、照度センサにより制御される自身の調光度が低い場合には、その照射範囲に調光度が高い照明器具からの照射光が入射するため、自己の調光度を照度センサから制御される調光度より変化させて照射する。これにより、伝送線の敷設なしで隣り合うグループ照明器具群の識別信号及び調光度を受信でき、グループ照明器具群の境界で明暗が生じるのを抑制できる。
【図面の簡単な説明】
【００３６】
【図１】本発明の実施の形態に係わる照明制御システムの一例の構成図。
【図２】本発明の実施の形態における照明器具及び調光制御端末器の実施例１の構成図。
【図３】本発明の実施の形態における照明器具及び調光制御端末器の実施例２の構成図。
【図４】本発明の実施の形態に係わる照明制御システムの他の一例の構成図。
【図５】本発明の実施の形態に係わる照明制御システムの別の他の一例の構成図。
【符号の説明】
【００３７】
１１…窓、１２…照明器具、１３…グループ照明器具群、１４…調光制御端末器、１５…照度センサ、１６…制御装置、１７…受光素子、１８…点灯回路、１９…光源、２０…調光度補正部
【図１】
2010073632.tif 000003
【図２】
2010073632.tif 000004
【図３】
2010073632.tif 000005
【図４】
2010073632.tif 000006
【図５】
2010073632.tif 000007